(57)【要約】【課題】木造住宅の建築現場で使用される小物を、小物入れに入れて作業現場に持ち込み、作業者は目で見て確実に目的の小物を直ぐに取り出して作業ができ、しかも、身軽に作業ができる便利な建築現場用小物携行具を提供する【解決手段】木造住宅の横架材Ａ上に鞍掛け状に載置して用いる小物携行具１であって、横架材Ａを跨いで横架材両側に突出する一対の支持部材２、１１と、支持部材２、１１の中央下部に横架材Ａが入り込む隙間３を形成し、支持部材２、１１の両端部に寄せて支持部材２、１１に取着した左右の小物入れ４を備え、左右の小物入れ４は、横架材Ａの両側にあって、支持部材２、１１に対して支点を中心に下向きに傾動接近自在に取着した。【選択図】　　　　　　　　図１
2004100442.tif 000002
【特許請求の範囲】
【請求項１】
木造住宅等の建築現場で、横架材上に鞍掛け状に載置して用いる小物携行具であって、横架材を跨いで横架材両側に突出する一対の支持部材と、支持部材の中央下部に横架材が入り込む隙間を形成し、支持部材の両端部に寄せて一対の支持部材間に取着した左右の小物入れを備え、左右の小物入れは、横架材の両側にあって、支持部材に対して支点を中心に下向きに傾動接近自在に取着したことを特徴とする建築現場用小物携行具。
【請求項２】
支持部材が中央部で枢支ピンで連結した２分割構成とされ、支持部材の両端部に取着された左右の小物入れは、枢支ピンを支点に支持部材が中折れして対向的に傾動接近することを特徴とする請求項１記載の建築現場用小物携行具。
【請求項３】
支持部材が単体構成とされ、支持部材の両端部に取着された左右の小物入れは、横架材に対応する内側側壁に寄せて両端部側壁上部をピン結合して取着され、支持部材に対し、ピン結合部を支点にして対向的に傾動接近することを特徴とする請求項１記載の建築現場用小物携行具。
【請求項４】
小物入れが硬質板材からなり、底部から立ち上がる内側側壁が適宜の高さを有してほぼ垂壁を形成する構成のものでは、小物入れの傾動でその内側側壁下部を横架材側面に圧接させることを特徴とする請求項１〜３のいずれか１項に記載の建築現場用小物携行具。
【請求項５】
２分割構成の支持部材に、横架材の両側面に対応して対向的に保持部材を垂設したことを特徴とする請求項１又は２記載の建築現場用小物携行具。
【請求項６】
２本の吊り紐端部を、支持部材の各端部を介して左右の小物入れに連係し、２本の吊り紐の中央部を一括して持って吊り上げ可能にしたことを特徴とする請求項１記載の建築現場用小物携行具。
【発明の詳細な説明】
【０００１】
【発明の属する技術分野】
本発明は、建築中の木造住宅の建築現場に小物を入れて持ち込んで作業に使用する建築現場用小物携行具に関するものである。
【０００２】
【従来の技術】
木造住宅を建築する場合、建築予定地に基礎工事を行い、基礎上に土台を作り、木造骨組みを造作していくことが行われる。
【０００３】
木造骨組みを造作する、いわゆる建前時には、隣接する柱間に梁や桁等の横架材を架設したり、横架材同士を結合したりする作業が頻繁に行われる。
【０００４】
従来より、このような木造建築の横架材の結合部において横架材が離反したり、破損したりしないように確かり固定するために、建前時に、横架材の仕口結合部を、固定用金物類を使用して固定することが広く実施されている。
【０００５】
ここで横架材の結合部に使用する一般的な固定用金物としては、例えば、羽子板ボルトや、これに付属する座金、ナット、ボルト等である。そして、従来は、これらの金物類を作業現場への持ち込んで結合作業に使用するには、作業者が腰に吊り下げた袋に入れて持ち込み、使用に際しては、袋の中に手を入れて手探り的に目的の金物を取り出して使用する手法が採られている。
【０００６】
【発明が解決しようとする課題】
前記するように、横架材の結合部に使用する固定用金物類を袋に入れ、これを作業者が腰に吊り下げた状態で作業現場に持ち込んで作業する時は、袋に入れた固定用金物は、かなりの重量物となるため、これを作業者の身に付けた状態では、作業者の労力負担を大きくするばかりでなく、作業者の身体の動きを鈍くして作業能率にも影響する。さらに、金物の入った袋の中に手を入れて手探り的に目的の金物を取り出すには、時間が掛かり、この面からも作業能率を低下させる。
【０００７】
そこで、本発明は、固定用金物類を含む建築現場で使用する小物を、作業者の身に付けることなく作業現場に持ち込み、その使用は、目で見て確実に目的の小物を直ぐに取り出して作業ができ、しかも、身軽に作業ができる便利な建築現場用小物携行具を提供することも目的としたものである。
【０００８】
【課題を解決するための手段】
上記の目的を達成するために、本発明に係る建築現場用小物携行具は、木造住宅等の建築現場で、横架材上に鞍掛け状に載置して用いる小物携行具であって、横架材を跨いで横架材両側に突出する一対の支持部材と、支持部材の中央下部に横架材が入り込む隙間を形成し、支持部材の両端部に寄せて一対の支持部材間に取着した左右の小物入れを備え、左右の小物入れは、横架材の両側にあって、支持部材に対して支点を中心に下向きに傾動接近自在に取着したことを特徴とする。
【０００９】
ここで、支持部材の両端部に寄せて取着した左右の小物入れ間の隙間は、横架材の上面幅より僅かに大きく設定され、小物携行具を横架材上に載置する時は、この隙間に横架材が緩く入り込んで鞍掛け状に載置される。
【００１０】
この載置によって、支持部材が中央部で枢支ピンで連結した２分割構成とされ、支持部材の両端部に左右の小物入れが固定的に取着された構成のものでは、枢支ピンを支点に支持部材が中折れして左右の小物入れが対向的に傾動接近し、また、支持部材が単体構成とされ、支持部材の両端部に取着された左右の小物入れは、横架材に対応する内側側壁に寄せて両端部側壁上部をピン結合して取着された構成のものでは、支持部材に対し、ピン結合部を支点にして左右の小物入れが対向的に傾動接近する。
【００１１】
こうして、左右の小物入れが硬質板材からなり、底部から立ち上がる内側側壁が適宜の高さを有してほぼ垂壁を形成する構成のものであると、左右の小物入れが傾動接近する動作に伴って、その内側側壁の下部を横架材側面に圧接させて安定する。
【００１２】
従って、このように構成した本発明に係る小物携行具によれば、作業に必要な小物、例えば、横架材の結合部に使用される羽子板ボルトや、これに付属する座金、ナット、ボルト等の金物を小物入れに入れて建築現場に持ち込み、小物携行具を結合作業が行われる横架材上に鞍掛け状に載置するだけで、横架材の両側で左右の小物入れが支持部材に対して支点を中心に傾動接近し、その内側側壁の下部を横架材側面に圧接させ安定するので、作業に必要な金物を順番に小物入れから取り出して横架材の結合作業に使用すれば、小物入れからの金物の取り出しは、目的の金物を目で見て直ぐに取り出すことができて作業能率を向上する。また、従来のように、かなりの重量物となる固定用金物類を袋に入れて、これを作業者が身に付けた状態で作業をするのに比べ、作業者の労力負担が少なく、作業者は身軽に作業ができてこの面からも作業能率を向上することができる。
【００１３】
また、作業が進行して、たとえ、左右の小物入れに入れてあった金物の使われ方が偏り、左右の小物入れの重量バランスが崩れるようなことがあっても、左右の小物入れは、その内側側壁の下部が横架材側面に圧接しているので転倒するようなことはない。また、作業者の意に反して小物携行具が横架材上を移動したり、不安定になるようなこともなく取り扱い易いものである。
【００１４】
本発明に係る小物携行具において、取り扱われる金物の種類等によっては、小物入れとしては、比較的浅くしたような形態のものや、底部から側壁部に掛けて変形自在なものが好まれることもある。
【００１５】
そこで、前記構成において、２分割構成の支持部材に、横架材の両側面に対応して対向的に保持部材を垂設した構成にすると、２分割構成の支持部材が中折れして左右の小物入れと保持部材は一体的に傾動接近し、保持部材が横架材側面に圧接して安定するので、小物入れとしては、その形態、材質等で制限がなくなり、作業がし易いものを使用して作業性を向上することができる。
【００１６】
本発明に係る小物携行具の移動をし易くするために、２本の吊り紐端部を、支持部材の各端部を介して左右の小物入れに連係し、２本の吊り紐の中央部を一括して持って吊り上げ可能にするのが好ましい。この場合、２本の吊り紐を持って小物携行具を吊り上げると、左右の小物入れは、その傾動を解消して横架材側面に対する圧接関係を解いて吊り上がるので、作業者は最も作業のし易い位置を決めて横架材上を移動させて作業能率を向上することができる。
【００１７】
【発明の実施の形態】
以下、本発明の実施の形態の一例を、図面に基づいて説明する。
【００１８】
図１は本発明の実施の形態を示す建築現場用小物携行具の一部を切欠した全体斜視図、図２は本発明に係る建築現場用小物携行具を吊り下げた状態を示す正面図、図３は本発明に係る建築現場用小物携行具の使用状態を示す正面図、図４は本発明に係る建築現場用小物携行具の異なった形態の使用状態を示す正面図である。
【００１９】
図において、１は建築現場用の小物携行具全体を示す。この小物携行具１は、一対の支持部材２を平行状に配し、両方の支持部材２の中央下部に横架材Ａが入り込む隙間３を形成し、支持部材２の両端部に寄せて両方の支持部材２間に左右の小物入れ４を取着し、同じく支持部材２の中央下部に横架材Ａが入り込む隙間３を形成して対向的に各支持部材２から下向きに左右の保持部材５を垂設している。
【００２０】
実施の形態の支持部材２は、中央部で２分割構成にした断面Ｌ字状型材を使用し、その直交する２つの板部を水平位と垂直位にし、両型材の一方の端部を適宜の長さで重ね合わせ、上下して重なる水平板部２ａ間に僅かな隙間を形成して垂直板部２ｂを枢支ピン６で連結したもので、連結された支持部材２全体としては、水平位から下向きにのみ適宜の角度で支持部材２は中折れ（折曲）自在にしている。
【００２１】
また、本発明に係る小物携行具１が適用される横架材Ａは角材を対象している。普通の木造住宅で使用される横架材Ａには、主に２種類の角材が使用されるので、
枢支ピン６による連結位置を変更可能にピン孔を設けていて、支持部材２の長さを変えて横架材Ａが入り込む隙間３の大きさを変更できるようにしている。
【００２２】
また、実施の形態の小物入れ４としては、プラスチック成型品を使用し、平面視において長方形状の箱形にできたもので、その短辺側の両端部側壁４ａの上部を止具７により支持部材２の垂直板部２ｂに取着している。
【００２３】
前記の保持部材５は、支持部材２と同じ断面Ｌ字状型材を使用し、この保持部材５では、直交する２つの板部の内の一方を横架材側面Ａ１に対向させ、保持部材５上端を溶接等によって支持部材２の下面に固着している。なお、保持部材５の長さについては、特に制約はないが、実施の形態のように、一対の支持部材２間に左右の小物入れ４が取着される構成では、保持部材５の数が４本になるので、これらの保持部材５の長さを、小物入れ４の高さより若干長めに設定することにより、小物携行具１が床面に置かれる時に、保持部材５を支脚にして小物入れ４を床面から浮かすようにしている。
【００２４】
また、実施の形態のように、支持部材２として、断面Ｌ字状型材の直交する２つの板部を水平位と垂直位にして使用すると、小物携行具１が横架材Ａ上に載置される時に、支持部材２の垂直板部２ｂの下端縁が横架材上面Ａ２に接し、また、対をなす支持部材２間に取着した左右の小物入れ４の隙間３に対応する長辺側の内側側壁４ｂの上部が、横架材側面Ａ１沿いに立ち上がり、横架材Ａ上にあって横架材上面Ａ２を底面にして浅箱状の空所を形成するので、この空所を有効利用すべく、実施の形態ではこの空所内に浅い角皿状の小物入れ８を嵌め込んでいる。
【００２５】
また、対をなす支持部材２間には、左右の小物入れ４が取着されて一体化が図られるが、両方の支持部材２同士をより堅固に結合すべく、実施の形態では、左右の小物入れ４の隙間３に対応する長辺側の内側側壁４ｂに沿わせて帯板状の連結部材９を両方の支持部材２間に掛け渡し状に取着している。なお、この連結部材９は、前記角皿状の小物入れ８を嵌め込んだ空間内にあって支持部材２の垂直板部２ｂの下端縁に接して取着されるので、角皿状の小物入れ８の底部を支える部材としても機能する。
【００２６】
また、対をなす支持部材２の各端部寄り位置に、２本の吊り紐１０端部をそれぞれに結合し、この２本の吊り紐１０の中央部を一括して吊り上げて小物携行具１の移動が自由にできるようにしている。
【００２７】
上記構成において、木造住宅の建築現場で隣接する柱間に梁や桁等の横架材同士を、例えば、羽子板ボルトや、これに付属する座金、ナット、ボルト等の固定用の金物Ｂを用いて結合作業を行う場合は、これらの金物Ｂを分別して小物入れ４，８に入れて作業が行われる横架材Ａ上に持ち込む。この際の小物携行具１は、図２に示すように、２本の吊り紐１０の中央部を一括して吊り上げて持ち込み、横架材Ａ上に位置を決めて左右の保持部材５間の隙間３に横架材Ａを入り込ませて降ろすと、図３に示すように、横架材Ａ上には小物携行具１が鞍掛け状に載置され、この載置により、支持部材２に掛かる重みで枢支ピン６で連結された２分割構成の支持部材２は、枢支ピン６を支点に中折れして両端部が下降傾向を示し、左右の保持部材５の下端部が傾動接近して横架材側面Ａ１に圧接して載置位置が固定されて安定する。この状態で、作業に必要な金物Ｂを小物入れ４，８から順番に取り出して行う結合作業は能率よくできる。
【００２８】
また、木造住宅で使用される横架材Ａには、実用面から、普通、４寸幅と３寸５分幅の２種類の角材が広く使用される。そこで、横架材Ａが入り込む隙間３の大きさは、２分割構成の支持部材２を連結する枢支ピン６の位置を変更して行われる。例えば、図３に示すように、横架材Ａの横幅Ｗ１に適合するように合わせられている場合に、枢支ピン６の位置を外側のピン孔に変更することで、図４に示すように、簡単に広幅とされる横架材Ａの横幅Ｗ２に適合するように横架材Ａが入り込む隙間３の大きさは変更できる。
【００２９】
図５〜図７は本発明に係る建築現場用小物携行具の第２の実施の形態を示すもので、図５は建築現場用小物携行具の全体斜視図、図６は建築現場用小物携行具の使用状態を示す正面図、図７は建築現場用小物携行具を吊り下げた状態を示す正面図である。なお、この第２の実施の形態においては、前記する第１の実施の形態を示した図１〜図４と同一の構成部分については同一の符号が付されていることで、その詳細な説明は省略されている。
【００３０】
この第２の実施の形態では、第１の実施の形態における２分割構成の支持部材２に代えて単体の支持部材１１を使用し、また、第１の実施の形態における保持部材５をなくし、小物入れ４として、硬質板材からなり、底部から立ち上がる内側側壁４ｂが適宜の高さを有してほぼ垂壁を形成する構成のものを使用することによって、構造の簡素化を図っている点に特徴がある。
【００３１】
この第２の実施の形態における支持部材１１には、断面Ｌ字状型材を単体で使用し、その直交する２つの板部を水平位と垂直位にして左右の小物入れの両端部側壁の開口縁部に沿わせ、小物入れ４の開口縁４ｃ上で水平板部１１ａとは若干の隙間を形成し、横架材Ａに対応する内側側壁４ｂに寄せて小物入れ４の両端部側壁４ａの上部から垂直板部１１ｂに掛けてピン１２を挿通して結合し、左右の小物入れ４を支持部材１１に取着したもので、使用時に、小物携行具１が横架材Ａ上に鞍掛け状に載置される時に、図６に示すように、左右の小物入れ４は、支持部材１１に対して、ピン結合部１２を支点にして対向的に傾動接近してその内側側壁４ｂの下部を横架材側面Ａ１に圧接させて安定するようにしたものである。
【００３２】
また、２本の吊り紐１０の端部は、支持部材１１の端部寄りに設けた長孔１３に挿通して小物入れ４の外側側壁４ｂ寄りの所で両端部側壁４ａの中間部に止着１４している。こうして、小物入れ４に吊り紐１０から上向きに持ち上げる力が掛かった時には、図７に示すように、吊り紐１０端部の止着部１４が引き上げられて小物入れ４は、外側側壁４ｂ寄りの所で開口縁部４ｃが支持部材１１の端部で水平板部１１ａに当てられて、ほぼ水平位を保ってそのまま移動できるものである。なお、図中１５は小物入れ４内での吊り紐１０の弛みを制限するために、支持部材１１の長孔１３に対応して吊り紐１０に設けた結び目である。
【００３３】
【発明の効果】
本発明は、以上説明したような形態で実施され、本発明によれば、木造住宅の建築現場で使用する横架材の固定用の金物類を含む小物を入れて建築現場に持ち込むのに使用し、作業者が作業を行う横架材上に鞍掛け状に載置しておき、目で見て確実に目的の小物を直ぐに取り出して作業ができるので、作業性を大幅に向上することができる。また、従来のように、横架材の結合部に使用される固定用金物類を袋に入れて作業者がこれを腰に吊り下げた状態で作業現場に持ち込んで作業するような場合に比べ、作業者の労力負担を少なくし、身軽に作業ができるので、この面からも作業能率を格段に向上することができる。
【図面の簡単な説明】
【図１】本発明の第１実施の形態を示す建築現場用小物携行具の一部を切欠した全体斜視図である。
【図２】本発明に係る建築現場用小物携行具を吊り下げた状態を示す正面図である。
【図３】本発明に係る建築現場用小物携行具の使用状態を示す正面図である。
【図４】本発明に係る建築現場用小物携行具の異なった形態の使用状態を示す正面図である。
【図５】本発明の第２の実施の形態を示す建築現場用小物携行具の全体斜視図である。
【図６】本発明に係る建築現場用小物携行具の使用状態を示す正面図である。
【図７】本発明に係る建築現場用小物携行具を吊り下げた状態を示す正面図である。
【符号の説明】
１　小物携行具
２　支持部材
２ａ　水平板部
２ｂ　垂直板部
３　隙間
４　小物入れ
４ａ　短辺側の側壁
４ｂ　長辺側の側壁
５　保持部材
６　枢支ピン
７　止具
８　小物入れ
９　連結部材
１０　吊り紐
１１　支持部材
１１ａ　水平板部
１１ｂ　垂直板部
１２　ピン
１３　長孔
１４　紐端部止着部
１５　結び目
Ａ　横架材
Ａ１　　横架材側面
Ａ２　　横架材上面Ａ
Ｂ　金物
【図１】
2004100442.tif 000003
【図２】
2004100442.tif 000004
【図３】
2004100442.tif 000005
【図４】
2004100442.tif 000006
【図５】
2004100442.tif 000007
【図６】
2004100442.tif 000008
【図７】
2004100442.tif 000009